(57)【要約】【課題】液体ポートを密封して外周部を覆うことができ、着脱が容易で確実に取り付けた状態を保持でき、使用材量も少なくて済む浄化器用ポートキャップを提供しようとする。【解決手段】浄化器のケースに突設された液体ポート１３，１４に被せる合成樹脂製のポートキャップ２０であって、一端開口から液体ポート１３，１４に挿入して液体ポートの外周を被覆可能な筒部２１と、筒部２１の開口端とは反対側に形成された天井部２２とを備え、天井部２２の内面には、液体ポート１３，１４の開口内に嵌合して密封するプラグ部２３を形成し、筒部２１には、液体ポート１３，１４の外周に形成された凹溝１７内に係合可能な係合部２４を形成した。【選択図】図７
0003125030.tif 000002
【実用新案登録請求の範囲】
【請求項１】
内部に中空糸膜を装填した浄化器のケースに突設された液体ポートに被せる合成樹脂製のポートキャップであって、
該ポートキャップは、一端開口から液体ポートに挿入して液体ポートの外周を被覆可能な筒部と、該筒部の開口端とは反対側に形成された天井部とを備え、
該天井部の内面には、液体ポートの開口内に嵌合して密封するプラグ部を形成し、筒部には、液体ポートの外周に形成された凹溝内に係合可能な係合部を形成したことを特徴とする浄化器用ポートキャップ。
【請求項２】
前記筒部の対向する位置に係合部を一対設け、筒部の軸方向に沿って細長いスリットを各係合部の両側に形成したことを特徴とする請求項１に記載の浄化器用ポートキャップ。
【請求項３】
前記天井部に、プラグ部の外側に貫通孔を開設したことを特徴とする請求項１または２に記載の浄化器用ポートキャップ。
【請求項４】
前記貫通孔が、プラグ部と同心円上に複数形成された円弧状のスリットであることを特徴とする請求項３に記載の浄化器用ポートキャップ。
【請求項５】
前記筒部の天井部側に筒部よりも外側に突出した鍔部を設けたことを特徴とする請求項１から４のいずれかに記載の浄化器用ポートキャップ。
【考案の詳細な説明】
【技術分野】
【０００１】
本考案は、例えば、血液浄化に用いる人工透析用浄化器などの医療用の浄化器の液体ポートに被せる合成樹脂製のポートキャップに関する。
【背景技術】
【０００２】
血液浄化に用いる人工透析用浄化器では、内部に中空糸膜を装填した筒型のケースの両端に被処理液の供給口または排出口を備えるキャップ部材をそれぞれ装着するとともに、ケースの外周部両端近傍に処理液の流入口または流出口となる液体ポートが設けられている。この浄化器には、一端の供給口から被処理液、例えば血液を供給し、中空糸膜の内部を通過する際にその外側の処理液、例えば透析液により浄化処理を行ない、浄化された血液が排出口から排出され、処理液は液体ポートから流出するようになっている。
【０００３】
このような浄化器には、ケース内に水または水溶液を充填した状態で出荷されるウエットタイプと水等を充填しないドライタイプとがあり、ウエットタイプの場合にはケースに突設された液体ポートにポートキャップを被せ、水または水溶液を密封する必要がある。このためキャップが用いられ、このキャップは、円形の保持部と、その下面中央部から突設し外周に円形のリブを有するとともに、底面に開設された凹陥部を有する装着部とからなり、装着部を液体ポートの内周面に挿入することで密封している（特許文献１）。このキャップでは、液体ポートを密封できるものの、液体ポートの外周部は外部に露出した状態であり、キャップの着脱時に液体ポートに手や指などが接触することで汚染するおそれがあり、汚染を防止して一層の清浄化が望まれている。
【０００４】
そこで、液体ポートの外周部も覆うことができる栓体として、液体ポートに被冠される筒状体の天板の裏面に筒状密封体を一体成形するとともに、筒状体の内周面に凹溝を形成しておき、液体ポートに凹溝に入り込む凸条を形成し、栓体を液体ポートに被せ、液体ポートの内周面に筒状密封体を挿入した後、回転して凹溝に液体ポートの凸条を浸入させて固定するもの（特許文献２）や密封部材にヒンジを介して２つ割りのハウジングをそれぞれ連結し、液体ポートの内周面に密封部材を挿入した後、ヒンジを支点に２つのハウジングを回動して液体ポートを覆うようにするもの（特許文献３）がある。
【特許文献１】特開平７−２７５３５６号公報
【特許文献２】特開２００２−１７２１６１号公報
【特許文献３】特開２００５−１９２７８８号公報
【考案の開示】
【考案が解決しようとする課題】
【０００５】
液体ポートの外周部を覆うことができる栓体では、栓体を固定するため凹溝を形成しておき、液体ポートの凸条にねじ込むようにして固定するが、透析液の出入口接続部分である液体ポートの主要寸法は、ＪＩＳＴ３２５０(２００５)で規定されており、接続のために必要な長さとは別に固定用の凸条を形成する長さを確保しなければならず、液体ポート自体を長くしたり、栓体も凹溝を形成する分だけ長くする必要があり、浄化器自体も大きくなるとともに、使用材量も多くなるという問題がある。
【０００６】
また、ヒンジ構造のハウジングを備えるものでは、ヒンジ部分が他の部分に比べて弱く、輸送時などに破損するおそれがあるとともに、着脱時に密封部材を挿脱する操作とハウジングを開閉する操作との２動作を必要とし、操作が煩雑であるという問題がある。
さらに、これらのいずれのものでも液体ポートの密封と同時に、液体ポートを覆うことから、製造時に栓体などと液体ポートとの間に水や水溶液が付着残存すると、雑菌が発生するおそれがあるという問題がある。
【０００７】
本考案は上記した事情に鑑みてなされたもので、その目的は、液体ポートを密封することができるとともに、外周部を覆うことができ、着脱が容易で確実に取り付けた状態を保持でき、使用材量も少なくて済む浄化器用ポートキャップを提供しようとするものである。
【課題を解決するための手段】
【０００８】
本考案は、上記目的を達成するために提案されたものであり、請求項１に記載のものは、内部に中空糸膜を装填した浄化器のケースに突設された液体ポートに被せる合成樹脂製のポートキャップであって、該ポートキャップは、一端開口から液体ポートに挿入して液体ポートの外周を被覆可能な筒部と、該筒部の開口端とは反対側に形成された天井部とを備え、該天井部の内面には、液体ポートの開口内に嵌合して密封するプラグ部を形成し、筒部には、液体ポートの外周に形成された凹溝内に係合可能な係合部を形成したことを特徴とする浄化器用ポートキャップである。
【０００９】
請求項２に記載のものは、前記筒部の対向する位置に係合部を一対設け、筒部の軸方向に沿って細長いスリットを各係合部の両側に形成したことを特徴とする請求項１に記載の浄化器用ポートキャップである。
【００１０】
請求項３に記載のものは、前記天井部に、プラグ部の外側に貫通孔を開設したことを特徴とする請求項１または２に記載の浄化器用ポートキャップである。
【００１１】
請求項４に記載のものは、前記貫通孔が、プラグ部と同心円上に複数形成された円弧状のスリットであることを特徴とする請求項３に記載の浄化器用ポートキャップである。
【００１２】
請求項５に記載のものは、前記筒部の天井部側に筒部よりも外側に突出した鍔部を設けたことを特徴とする請求項１から４のいずれかに記載の浄化器用ポートキャップである。
【考案の効果】
【００１３】
本考案によれば、以下のような優れた効果を奏する。
請求項１に記載の考案によれば、内部に中空糸膜を装填した浄化器のケースに突設された液体ポートに被せる合成樹脂製のポートキャップであって、該ポートキャップは、一端開口から液体ポートに挿入して液体ポートの外周を被覆可能な筒部と、該筒部の開口端とは反対側に形成された天井部とを備え、該天井部の内面には、液体ポートの開口内に嵌合して密封するプラグ部を形成し、筒部には、液体ポートの外周に形成された凹溝内に係合可能な係合部を形成したので、天井部のプラグ部を液体ポートの開口内に嵌合することで密封することができるとともに、筒部で液体ポートの外周を覆うことができる。また、液体ポートの凹溝内に係合部を係合することで、筒部を長くすることなく確実に密封状態を保持することができるとともに、使用材料を極力少なくすることができ、浄化器自体を大きくすることもない。
【００１４】
請求項２に記載のものは、前記筒部の対向する位置に係合部を一対設け、筒部の軸方向に沿って細長いスリットを各係合部の両側に形成したので、両側のスリットによって係合部の弾性変形がし易くなり、液体ポートの凹溝への着脱を容易にすることができる。また、一対の係合部と直交する筒部を指で押えることで、係合部を外側に押し広げるように変形させることができ、一層簡単に取り外すことができる。また、このスリットによって合成樹脂による型成形における脱型の際の変形を容易にして脱型し易くすることができる。
【００１５】
請求項３に記載のものは、前記天井部に、プラグ部の外側に貫通孔を開設したので、プラグ部の弾性変形が容易となり、プラグ部の液体ポートへの嵌合が容易となるとともに、密着性やシール性を向上することができ、取り外しも容易となる。
【００１６】
請求項４に記載のものは、前記貫通孔を、プラグ部と同心円上に複数形成された円弧状のスリットで構成したので、同心円上の複数の円弧状の各スリットからエアーを吹き込むことで、浄化器に水や水溶液を充填してポートキャップを取り付けた後に付着残留する水や水溶液を吹き飛ばして除去することができ、雑菌などの繁殖を防止することができる。また、プラグ部を均等に弾性変形させることができ、一層嵌合操作性やシール性を向上することができる。
【００１７】
請求項５に記載のものは、前記筒部の天井部側に筒部よりも外側に突出した鍔部を設けたので、取り外す場合に筒部の両側に親指と人差し指を当てて摘むようにし、中指を鍔部に引っ掛けることで、簡単に引き抜くことができ、取り扱いが容易となる。
【考案を実施するための最良の形態】
【００１８】
以下、本考案の一実施の形態を図面に基づいて説明する。
図１は浄化器用ポートキャップが使用される液体ポートを備える浄化器の一例の一部を破断した概略断面図、図２は浄化器用ポートキャップの正面図、図３は平面図、図４は中央縦断面図、図５は図２中のＢ−Ｂ断面図、図６は図３中のＣ−Ｃ断面図、図７は液体ポートに取り付け状態の縦断面図である。
【００１９】
この浄化器用ポートキャップが使用される液体ポートを備える浄化器としては、例えば図１に示す血液を浄化する人工透析用浄化器１があり、筒型ケーシング(ケース)２の内部に、多数の中空糸（中空糸膜）３を束ねて構成された中空糸束５を装填し、筒型ケーシング２の一方の端部（図中左端部）に、被処理液（例えば、血液）を導入する供給口６を突設したキャップ部材７を螺合装着するとともに、他方の端部（図中右端部）に、処理された血液が流出する排出口８を突設したキャップ部材９を螺合装着している。また、筒型ケーシング２内の両端部に、中空糸束５の端部をポリウレタン樹脂等の樹脂組成物により筒型ケーシング２の内面に接着固定するポッティング部１０をそれぞれ設けて封止し、筒型ケーシング２内の空間を被処理液が通る被処理液空間（各中空糸の内側）と処理液が通る処理液空間（各中空糸の外側）とに区画してある。さらに、筒型ケーシング２の外周両端部近傍に浄化処理する処理液（例えば、透析液）の流入口となる液体ポート１３および流出口となる液体ポート１４が突設され、上記供給口６から供給する血液等の被処理液を、中空糸３を介して流入口１３から注入される透析液等の処理液により浄化処理する。
【００２０】
このような人工透析用浄化器１では、供給口６および排出口８には、従来から知られているキャップが装着されて密封され、液体ポート１３と液体ポート１４には、本願考案による浄化器用ポートキャップ２０が装着されて密封され、ケーシング２内の中空糸束５の外側に入られる水や水溶液（例えば、生理食塩水）を封止した状態として滅菌時および輸送保管時などの漏洩を防止する。
【００２１】
水や水溶液の流入口または流出口となる液体ポート１３、１４は、ＪＩＳＴ３２５０(２００５)の規定に沿った寸法とされ、図１および図７に示すように、略筒状に形成されている。各液体ポート１３，１４は、円筒壁１５を備え、その先端部に小径部１６が形成され、円筒壁１５と小径部１６との間の肩部に、使用時（透析時）には、液体ポート１３，１４に接続されるワンタッチカプラーのＯリングが接してシールされる。また、液体ポート１３、１４の基端部側には、外周に環状の凹溝１７が形成してあり、ポートの直径である円筒壁１５の直径が１４．９ｍｍ以内で、ポートの長さである小径部１６の先端から円筒壁１５部分の長さが凹溝１７を越えて２２ｍｍ以上確保するように規定されている。
【００２２】
このような浄化器１の液体ポート１３，１４に被せ、水または水溶液を密封するポートキャップ２０は合成樹脂製とされ、一端開口から液体ポート１３，１４に挿入して液体ポート１３，１４の外周を被覆可能な筒部２１と、この筒部２１の開口端とは反対側に形成された天井部２２とを備えており、天井部２２の内面には、液体ポート１３，１４の開口から内周に嵌合して密封するプラグ部２３が形成してある。そして、筒部２１には、液体ポート１３，１４の外周に形成された凹溝１７内に係合可能な係合部２４が内側に略弓形状に突き出すように形成してある。このポートキャップ２０に使用する合成樹脂としては、例えば、ポリエチレン、ポリプロピレン、ポリカーボネート、ポリスチレン、ポリアミド、ポリアセタール等を挙げることができ、密封性や成形性からポリエチレン、ポリプロピレンが好ましい。
【００２３】
この浄化器用ポートキャップ２０では、筒部２１が液体ポート１３、１４の円筒壁１５の外径に対応して僅かに大きい内径の円筒状に形成され、液体ポート１３、１４を被覆できる長さとしてある。この筒部２１の開口端(図中の下端)とは反対側には、板状の天井部２２が一体に成形され、天井部２２の内面に筒部２１と同心状に円筒状のプラグ部２３が開口端側に突き出して液体ポート１３、１４の内周に嵌合して密封できる外径とされるとともに、先端外周が円弧状に形成され嵌合を容易にできるようにしてある。このプラグ部２３の基端部の天井部２２内面には、液体ポート１３、１４の先端の小径部１６が突き当てられる深さの内環状溝２５が形成してあり、これにより、プラグ部２３を液体ポート１３、１４に嵌合して密封する有効長さが内環状溝２５の底部からの突き出し長さとなっている。
【００２４】
また、天井部２２の外面には、内環状溝２５と同心円上でその外側に外環状溝２６が形成され、この外環状溝２６の底部に貫通孔として円弧状のスリット２７が円周方向等間隔に複数、図示例では４個のスリット２７としてそれぞれ円周の８分の１の長さで形成され、天井部２２の内外を貫通し、筒部２１の内側と連通している。
【００２５】
これら天井部２２の内環状溝２５および外環状溝２６をプラグ部２３の外側に形成することでプラグ部２３の弾性変形が容易となり、液体ポート１３、１４への密封性を向上することができるとともに、嵌合取り付けや取り外しの操作性を向上することができる。また、液体ポート１３、１４に取り付けた被冠状態で、外環状溝２６の底部の貫通したスリット２７を利用してエアーを吹き付けることで、液体ポート１３、１４と筒部２１の間に残存した水や水溶液を簡単且つ確実に除去することができ、雑菌の繁殖などを防止することができる。なお、貫通孔はスリットに限定されるものではなく、例えば、円形小孔でもよい。
【００２６】
この浄化器用ポートキャップ２０では、液体ポート１３、１４に被冠した状態で保持するため、筒部２１の対向する位置に一対の係合部２４が内側に略弓形状に突き出すように形成され、液体ポート１３、１４の凹溝１７の形状に対応した湾曲面としてあり、被冠状態で、図７に示すように、一対の係合部２４が凹溝１７に密着して両側から挟むように固定される。
【００２７】
さらに、各係合部２４の両側には、筒部２１の軸方向に沿って細長いスリット２８が形成してあり、これにより、各係合部２４の着脱時の弾性変形を容易とするとともに、合成樹脂による型成形時の脱型が容易にできるようにしてある。また、このスリット２８により、浄化器用ポートキャップ２０を液体ポート１３、１４から取り外す場合に、一対の係合部２４に対して９０度回転した部分(係合部２４同士の中間部分)を両側から押すことで、それぞれのスリット２８の部分が広がり、筒部２１が円形から楕円形に変形することで、係合部２４も押し広げられて取り外しが一層簡単にできるようになる。
【００２８】
さらに、この浄化器用ポートキャップ２０では、筒部２１の天井部２２側に、筒部２１よりも外側に突き出して鍔部２９が一体に設けてあり、天井部２２と同一厚さで一対の係合部２４側が大きく突き出すように形成してある。この鍔部２９により、係合部２４同士の中間部分を親指と人差し指で両側から挟むとともに、中指を鍔部２９に引っ掛けるようにして引くことで、すでに述べたスリット２８の広がりと協働して一層簡単に取り外すことができる。
【００２９】
この浄化器用ポートキャップ２０は、例えば人工透析用浄化器１の筒状ケーシング２内に装填された中空糸３(中空糸膜)の外側に水、または水溶液を充填した後、液体ポート１３,１４に浄化器用ポートキャップ２０の筒部２１を開口端から被せるようにし、液体ポート１３、１４の開口にプラグ部２３を位置させた後、押し込むようにする。そして、さらに浄化器用ポートキャップ２０を押し込んで一対の係合部２４が液体ポート１３、１４の凹溝１７に係合される状態として取り付け(打栓)が完了する。
【００３０】
このとき、液体ポート１３、１４には、凹溝１７が環状に形成してあるので、浄化器用ポートキャップ２０の一対の係合部２４の位置に関係なく押し込むようにすれば良く、位置合わせの必要がなく簡単に取り付けることができるとともに、液体ポート１３、１４に指や手を触れることなく取り付けることができる。
そして、この浄化器用ポートキャップ２０を液体ポート１３、１４に押し込んで取り付けた状態では、プラグ部２３が内環状溝２５および外環状溝２６によって弾性変形し易く液体ポート１３、１４に密着して密封状態にできるとともに、係合部２４が凹溝１７に強固に係合されて密封状態が確実に保持される。
【００３１】
こうして浄化器用ポートキャップ２０を取り付けた後、液体ポート１３、１４との間に水や水溶液が付着している場合には、外環状溝２６の底部の貫通したスリット２７からエアーを吹き付けることで、水や水溶液を簡単に除去したのち、この人工透析用浄化器１は滅菌され、輸送されたり、保管される。そして、この滅菌時や輸送保管時には、浄化器用ポートキャップ２０が強固に係合され、密封状態が保持されて水や水溶液の漏洩を完全に防止することができるとともに、水や水溶液の残存がなく、雑菌などが発生することも防止できる。
【００３２】
一方、人工透析用浄化器１を使用する場合には、液体ポート１３、１４の浄化器用ポートキャップ２０を取り外すが、この場合には、筒部２１の一対の係合部２４の中間部を両側から押えるようにして引き抜くことで、係合部２４を外側に広げるように変形させることができ、大きな力を必要とせず、簡単に取り外すことができる。そして、Ｏリングを装着したワンタッチカップラーを液体ポート１３、１４に接続することで、Ｏリングが液体ポート１３、１４の円筒壁１５と小径部１６との間の肩部に接してシール状態で接続することができ、人工透析の準備が簡単にできる。
【００３３】
このような浄化器用ポートキャップ２０によれば、天井部２２に内環状溝２５および外環状溝２６を形成するとともに、外環状溝２６には貫通孔としてのスリット２７を形成したので、プラグ部２３の弾性変形を促すことができると同時に、合成樹脂材料の使用量を少なくすることができる。また、筒部２１の係合部２４の両側のスリット２８により、係合部２４の弾性変形を促すことができると同時に、合成樹脂材料の使用材量を一層少なくすることができる。
【００３４】
なお、係合部２４を筒部２１の中間部に設けるようにしたので、液体ポート１３,１４の凹溝１７も円筒壁１５の中間部に形成することができ、これにより、液体ポート１３、１４自体の合成樹脂材量の使用料を少なくすることができ、浄化器の使用材料を減らすこともできる。
【００３５】
また、上記の実施の形態では、浄化器として人工透析用浄化器の液体ポートを例に説明したが、これに限らず内部に中空糸膜を装填した他の浄化器に広く適用することができる。また、ウエットタイプに限らずドライタイプにも使用することもできる。
【００３６】
また、上記実施の形態では、係合部を一対とし、対向させて配置したが、少なくとも一個形成すれば良く、３個以上を円周等間隔に配置することもでき、浄化器用ポートキャップの大きさ等により適宜定めれば良い。さらに、係合部の両側に軸方向に沿うスリットを形成することで、弾性変形を促して取り外しを容易としたが、スリットを省略しても良い。
【００３７】
また、上記実施の形態では、貫通孔としてのスリットを円周等間隔に４個形成するようにしたが、これに限らず、少なくしたり、さらに増加しても良く、液体ポートと浄化器用ポートキャップとの間に付着する水や水溶液をエアーで吹き飛ばすことができれば良い。
【図面の簡単な説明】
【００３８】
【図１】浄化器用ポートキャップが使用される液体ポートを備える浄化器の一例の一部を破断した概略断面図である。
【図２】浄化器用ポートキャップの正面図である。
【図３】浄化器用ポートキャップの平面図である。
【図４】浄化器用ポートキャップの中央縦断面図である。
【図５】浄化器用ポートキャップの図２中のＢ−Ｂ断面図である。
【図６】浄化器用ポートキャップの図３中のＣ−Ｃ断面図である。
【図７】浄化器用ポートキャップを液体ポートに取り付け状態の縦断面図である。
【符号の説明】
【００３９】
１  人工透析用浄化器
２  筒状ケーシング(ケース)
３  中空糸(中空糸膜)
５  中空糸束
６  供給口
７  キャップ部材
８  排出口
９  キャップ部材
１０  ボッティング部
１３  液体ポート
１４  液体ポート
１５  円筒壁
１６  小径部
１７  凹溝
２０  浄化器用ポートキャップ
２１  筒部
２２  天井部
２３  プラグ部
２４  係合部
２５  内環状溝
２６  外環状溝
２７  スリット(貫通孔)
２８  スリット
２９  鍔部
【図１】
0003125030.tif 000003
【図２】
0003125030.tif 000004
【図３】
0003125030.tif 000005
【図４】
0003125030.tif 000006
【図５】
0003125030.tif 000007
【図６】
0003125030.tif 000008
【図７】
0003125030.tif 000009